(57)【要約】      （修正有）【課題】種々の形状のハンドル部に適用できる汎用性を備えたハンドルカバーを有する杖を提供する。【解決手段】ハンドル部５の長さ方向一端側に片寄った個所にハンドルカバー１３を巻き付ける。ハンドルカバー１３を、長方形状のカバー本体１５と、このカバー本体１５の一方側短辺部の幅方向両側から突出する一対の固定片１７と、を一体的に有するように構成しておく。それぞれの固定片１７の内面に一方側の面状ファスナを固定し、カバー本体１５の外面に他方側の面状ファスナ３１を固定しておく。ハンドルカバー１３をハンドル本体９にかぶせ、一対の固定片１７が、接続部１１の上端部の長さ方向両側を通り、入り込み部２３を、接続部１１の上端部の長さ方向両側に押え付けた状態で、固定片１７の面状ファスナをカバー本体１５の面状ファスナ３１に固定する。【選択図】図３
2013126507.tif 000002
【特許請求の範囲】
【請求項１】
棒状の杖本体と、この杖本体の上端に設けられたハンドル部と、を具備し、前記ハンドル部は、前記杖本体との接続部と、この接続部に設けられたハンドル本体とを備えてＴ字状に形成されている杖であって、
前記ハンドル部に巻き付けられたカバーを有し、このカバ−は、前記ハンドル本体に巻かれたカバー本体と、このカバー本体の長さ方向一端部の幅方向両側から延びる一対の固定片と、を備え、
前記一対の固定片は、前記ハンドル部の前記接続部を挟んで位置し、前記カバー本体の長さ方向他端側に重なって、このカバー本体と分離可能に接続されている、ことを特徴とする杖。
【請求項２】
前記一対の固定片は、面状ファスナを介して前記カバー本体と分離可能に接続されている、ことを特徴とする請求項１記載の杖。
【請求項３】
前記杖本体には、連結紐状体の先端にハサミが接続された保持部材が上下に間隔を有して複数取り付けられていて、前記保持部材はそれぞれ、前記連結紐状体の基端部に、ゴム製又はプラスチック製のＣ型弾性クリップを有し、このＣ型弾性クリップを前記杖本体に嵌め付けることにより取り外し可能に取り付けられている、ことを特徴とする請求項１又は２記載の杖。
【請求項４】
前記ハンドル部の前記接続部又は前記杖本体の上端部にはストラップ部材が取り付けられていて、前記ストラップ部材は、ストラップの基端部に、ゴム製又はプラスチック製のＣ型弾性クリップを有し、このＣ型弾性クリップを前記ハンドル部の前記接続部又は前記杖本体の上端部に嵌め付けることにより取り外し可能に取り付けられている、ことを特徴とする請求項１、２又は３記載の杖。 
【請求項５】
前記杖本体には取っ手が取り付けられていて、この取っ手は、取っ手本体の長さ方向両端部にそれぞれ、ゴム製又はプラスチック製のＣ型弾性クリップを有し、このＣ型弾性クリップを前記杖本体に嵌め付けることにより取り外し可能に取り付けられている、ことを特徴とする請求項１、２、３又は４記載の杖。
【請求項６】
前記Ｃ型弾性クリップは、開口部にまたがって分離可能に固定される開き防止用帯状体を有している、ことを特徴とする請求項３、４又は５記載の杖。
【請求項７】
前記Ｃ型弾性クリップは、一方の開口端部に回転可能に接続されたとびら部材を備え、このとびら部材は先端部に鉤部を有していて、前記とびら部材を、前記Ｃ型弾性クリップの開口部を閉じるように回転させ、前記鉤部を他方の開口端部にスナップ係合させることができるように構成されている、ことを特徴とする請求項３、４又は５記載の杖。
【発明の詳細な説明】
【技術分野】
【０００１】
本発明は、例えば高齢者が使用する杖に関し、特に、Ｔ字状のハンドル部を有する杖に関する。
【背景技術】
【０００２】
高齢者などが使用する杖は、棒状のカーボン製杖本体の上端に、プラスチック製のＴ字状ハンドル部を取り付けたものが多いが、プラスチック製のハンドル部はすべりやすく、特に使用者が手袋をしている場合には、ハンドル部を安定して握ることが難しくなってしまう。
【０００３】
ハンドル部のすべりやすさを改善するために、例えば特許文献１に記載されているようなカバーをハンドル部にかぶせる場合がある。カバーとして表面がすべりにくいものを用いれば、例えば手袋をしている場合でも安定してハンドル部を握って保持することができる。
【先行技術文献】
【特許文献】
【０００４】
【特許文献１】特開平２００１−３７５１２号公報
【発明の概要】
【発明が解決しようとする課題】
【０００５】
しかしながら、特許文献１記載のカバーは、異なる形状のハンドル部に十分対応できる汎用性を有していないので、このカバーを用いる場合には、杖のハンドル部の形状が異なるごとに又は大きく異なるごとに異なる形状のカバーを準備しなければならず、コスト高となってしまう。また、特許文献１記載の杖ではストラップ本体の取り外しが容易ではない。さらに、特許文献１記載の杖では手を離すときの保持部材が設けられていない。
【０００６】
そこで本発明は、種々の形状のハンドル部に適用できる汎用性を備えたハンドルカバーを有する杖あるいは種々の形状のハンドル部に適用できる汎用性を備えたハンドルカバーの提供を目的とする。あるいは本発明は、取り外しが簡単なストラップ部材を有する杖あるいは取り外しが簡単な杖用ストラップ部材の提供を目的とする。もしくは本発明は、手を離すときの保持部材を有する杖あるいは手を離すときの杖用保持部材の提供を目的とする。
【課題を解決するための手段】
【０００７】
この目的を達成するための本発明の杖は、棒状の杖本体と、この杖本体の上端に設けられたハンドル部と、を具備し、前記ハンドル部は、前記杖本体との接続部と、この接続部に設けられたハンドル本体とを備えてＴ字状に形成されている杖であって、前記ハンドル部に巻き付けられたハンドルカバーを有し、このハンドルカバ−は、前記ハンドル本体又はハンドル部に巻かれたカバー本体と、このカバー本体の長さ方向（ハンドル本体の周方向）一端部の幅方向両側から延びる一対の固定片と、を備え、前記一対の固定片は、前記ハンドル部の前記接続部を挟んで位置し、前記カバー本体の長さ方向他端側に重なって、このカバー本体又は長さ方向他端側と分離可能に接続されているといったものである。ハンドルカバーは、一対の固定片の間にハンドル部の接続部が位置するようにしてハンドル部に巻き付けられる。したがって、ハンドル部の形状、例えば接続部周辺の形状やハンドル本体の形状に関わりなく、ハンドルカバーをハンドル部に適切にしかも簡単に巻き付けて取り付けることができる。そして、固定片により接続部を挟んでいるので、ハンドル本体の長さ方向に沿ったハンドルカバーのずれを効果的に防止できる。また、本発明のハンドルカバーは、杖本体との接続部にハンドル本体が設けられているＴ字状のハンドル部に取り付けるハンドルカバーであって、前記ハンドル本体又はハンドル部に巻かれるカバー本体と、このカバー本体の長さ方向（ハンドル本体又はハンドル部に巻いたとき又は巻き付けたときのハンドル本体の周方向）一端部の幅方向両側から延びる一対の固定片と、を備え、前記一対の固定片は、前記接続部を挟んで、前記ハンドル本体又はハンドル部に巻かれた前記カバー本体の長さ方向他端側に重なり、前記カバー本体又は長さ方向他端側に分離可能に接続されるように形成されているものである。ハンドルカバーは薄肉のシート体として形成できる。固定片が接続されるカバー本体又は長さ方向他端側の位置を長さ方向（周方向）に沿ってずらすことができるように構成するのが好ましい。
【０００８】
一対の固定片が、面状ファスナを介してカバー本体又はカバー本体の長さ方向他端側と分離可能に接続されるようにしておけば、手で握ったときに違和感のないハンドルカバーを構成できる。
【０００９】
杖本体に、連結紐状体の先端にハサミが接続された保持部材を上下に間隔を有して複数取り付けておけば、ハサミを衣服等に接続することにより、杖から手を離しても杖を安定して保持しておくことができる。このような保持部材はかさばるので、簡単に取り外しが可能なように構成するのが得策である。そこで、保持部材をそれぞれ、連結紐状体の基端部に、ゴム製又はプラスチック製のＣ型弾性クリップを有し、このＣ型弾性クリップを杖本体に嵌め付けることにより取り外し可能に取り付けられるものとしておくことができる。
【００１０】
ハンドル部の接続部又は杖本体の上端部に、ストラップ本体の基端部に、ゴム製又はプラスチック製のＣ型弾性クリップを有するストラップ部材を、このＣ型弾性クリップをハンドル部の接続部又は杖本体の上端部に嵌め付けることにより取り外し可能に取り付けておくことができ、このストラップ本体に手首を引っ掛けることにより杖が倒れてしまうのを効果的に防止できる。また、このようなストラップ部材はかさばるので、簡単に取り外せるように構成するのは得策である。 
【００１１】
杖本体に、取っ手本体の長さ方向両端部にそれぞれ、ゴム製又はプラスチック製のＣ型弾性クリップを有する取っ手部材を、このＣ型弾性クリップを前記杖本体に嵌め付けることにより取り外し可能に取り付けておくことができ、この取っ手本体を手で握ることにより、着席時などに杖を保持しやすくなる。また、このような取っ手部材はかさばるので、簡単に取り外せるように構成するのは得策である。
【００１２】
Ｃ型弾性クリップは、開口部にまたがって分離可能に固定される開き防止用帯状体を有することができる。あるいは、Ｃ型弾性クリップは、一方の開口端部に回転可能に接続され、先端部に鉤部が設けられたとびら部材を有することができ、このとびら部材を、Ｃ型弾性クリップの開口部を閉じるように回転させて、鉤部を他方の開口端部にスナップ係合させることができるといったように構成する。
【発明の効果】
【００１３】
本発明では、ハンドル部に密着するように簡単に取り付けることができる安価なハンドルカバーが構成される。また、本発明では、取り付け及び取り外しに便利な杖用のストラップ部材が提供される。あるいは、本発明では、杖から手を離しても杖を安定して保持しておくことができる保持部材が提供される。
【図面の簡単な説明】
【００１４】
【図１】本発明に係る杖の斜視図である。
【図２】カバーの斜視図である。
【図３】カバーのハンドル部への巻き付け方法の一例を説明する図である。
【図４】ストラップ部材の利用方法を説明する図である。
【図５】C型弾性クランプの斜視図である。
【図６】別のC型弾性クランプを示す図である。
【図７】他のC型弾性クランプを示す図である。
【図８】取っ手部材の利用方法を説明する図である。
【図９】保持部材の利用方法を説明する図である。
【発明を実施するための形態】
【００１５】
以下、図面を参照して本発明の実施の形態を説明する。
【００１６】
図１は本発明に係る杖の斜視図である。
【００１７】
杖１は、全長にわたって同一の外径を有するように形成された棒状のカーボン製杖本体３と、この杖本体３の上端に固定して取り付けられたプラスチック製のハンドル部５と、を有し、杖本体３の下端部にはゴム製の石突７が嵌め付けられ、ハンドル部５は、ほぼ水平方向に延びるハンドル本体９と、このハンドル本体９の長さ方向一端側から垂直下方に突出する接続部１１と、を一体的に有している。接続部１１は、杖本体３よりも大径ではあるが、長円状の断面を有するように形成され、断面の長軸（ハンドル本体９の長さ方向に沿う軸）が上方ほど漸次長くなるような形状を有している。ハンドル部５は、この接続部１１が杖本体３の上端に同軸的に連結されるように、杖本体３に固定されている。
【００１８】
ハンドル部５又はハンドル本体９の長さ方向一端側に片寄った個所にはハンドルカバー１３が巻き付けられている。ハンドルカバー１３は、ゴム、スポンジゴム、プラスチック又は皮革などを素材として大きい強度と大きい又は適度な伸縮性を備えるように形成された薄手のシート体であり、図２に示すように、長方形状のカバー本体１５と、このカバー本体１５の一方側短辺部の幅方向両側から突出する一対の固定片１７と、を一体的に有している。カバー本体１５の他方側の短辺部中央には受け入れ凹部１９が形成され、一対の固定片１７の間の付け根側には収容凹部２１が形成されていて、カバー本体１５の受け入れ凹部１９の両側は入り込み部２３を形成している。収容凹部２１は、カバー本体１５の他方側の短辺部中央に形成されたくぼみ２５と、それぞれの固定片１７の付け根部の内側に、くぼみ２５の両端部と連結されるように設けられたへこみ２７と、から構成されている。それぞれの固定片１７の内面には一方側の面状ファスナ（例えばマジックテープ（登録商標）の雄）２９が固定され、カバー本体１５の外面には他方側の面状ファスナ（例えばマジックテープ（登録商標）の雌）３１が固定されている。他方側の面状ファスナ３１は、カバー本体１５の長手方向の長さが大きくなるように形成され、固定片１７のカバー本体１５への固定位置を長手方向で変化させることができるようになっている。
【００１９】
ハンドルカバー１３のハンドル部５への巻き付けは、カバー本体１５の受け入れ凹部１９がハンドル部５の接続部１１上端側を受け入れ、カバー本体１５の入り込み部２３が接続部１１の上端部の長さ方向両側又はハンドル本体９裏面の接続部１１隣接個所に入り込むことができるように、ハンドルカバー１３をハンドル本体９にかぶせる（図３ａ）。次に、収容凹部２１が、受け入れ凹部１９の反対側でハンドル部５の接続部１１上端側を収容し、固定片１７がそれぞれ、接続部１１の上端部の長さ方向両側又はハンドル本体９裏面の接続部１１隣接個所を通り、入り込み部２３の外側を通過し、カバー本体１５の受け入れ凹部１９を越えるように、ハンドルカバー１３をハンドル部５に巻き付ける（図３ｂ）。そして、固定片１７を巻き付け方向に引っ張って、固定片１７で、入り込み部２３を、接続部１１の上端部の長さ方向両側又はハンドル本体９裏面の接続部１１隣接個所に押え付けた状態で、固定片１７の面状ファスナ２９をカバー本体１５の面状ファスナ３１に固定してハンドルカバー１３の巻き付けを完了する（図３ｃ）。ハンドル本体９の太さなどにより、固定片１７の面状ファスナ２９をカバー本体１５の面状ファスナ３１の長さ方向又は周方向のどの位置に固定するかを調整する。巻き付けたハンドルカバー１３は、固定片１７の面状ファスナ２９とカバー本体１５の面状ファスナ３１とを分離することにより簡単に取り外すことができる。なお、このようなハンドルカバー１３を用いることにより、ハンドル部５の汚れ防止にも役立つ。また、ハンドルカバー１３に種々の模様や色彩を施すことにより、自分の杖と他人の杖とを簡単かつ確実に識別できるようになる。さらに、ハンドル部５に使用により色落ちなどが生じている場合に、このような色落ちなどをハンドルカバー１３で隠すことができる。
【００２０】
杖本体３の上端部には、ハンドル部５の接続部１１の下側にストラップ部材３３が取り付けられている。ストラップ部材３３は、ゴム製、硬質ゴム製又はプラスチック製のＣ型弾性クリップ３５に、一端部がループ状となったストラップ本体３７の他端部を連結した構成を有し、Ｃ型弾性クリップ３５を杖本体３の上端部に嵌め付けることにより、杖本体３に取り外し可能に接続されている。図４に示すように、ストラップ部材３３を取り付けることにより、杖１の使用時にストラップ本体３７を手首に引っ掛けておけば、ハンドル部５が手から外れても、杖１が路面等に倒れてしまうことを防止できる。
【００２１】
なお、Ｃ型弾性クリップ３５は、内径（収縮時の内径）が杖本体３の外径よりも若干小さくなるように形成され、また、図５に示すように、杖本体３に嵌め付け易くするために、開口端部３９が外側に向かって開くように形成されている（図５の符号４０は、ストラップ本体３７の他端部を通す孔であり、ストラップ本体３７の他端部は、孔４０を通って結ばれ、抜け止めされる。Ｃ型弾性クリップ３５の内面には、図６や図７に示すように、例えばストラップ本体３７の結びを収容する凹部４２が形成される）。Ｃ型弾性クリップ３５は、杖本体１の外径に対応したものを使用することとなる。Ｃ型弾性クリップ３５は、開口部６１にまたがる開き防止用帯状体６３を有することができる（図６参照）。開き防止用帯状体６３は、一端部がＣ型弾性クリップ３５の外周（より具体的には開口部６１よりも周方向一方側の外周）に固定され、他端部（先端部）に一方側の面状ファスナー６５が固定された構成を有している（図６ａ参照）。そしてＣ型弾性クリップ３５の外周（より具体的には開口部６１よりも周方向他方側の外周）に他方側の面状ファスナー６７を固定しておき、この他方側の面状ファスナー６７に開き防止用帯状体６３の一方側の面状ファスナー６５を、強く引っ張って固定する（図６ｂ参照）。これにより、Ｃ型弾性クリップ３５の開口部６１が簡単に開くのを防止できる。また、Ｃ型弾性クリップ３５は、一方の開口端部３９の先端に連結して一体的に接続されたとびら部材６９を有することができる（図７ａ参照）。とびら部材６９は、一方の開口端部３９との接続部に溝部７１を有しているので、他方の開口端部３９側に回転することができる。そして、とびら部材６９の先端部には鉤部７３が形成され、この鉤部７３の内面には係合凹部７５が形成されている。なお、他方の開口端部３９の外面には係合凹部７５に嵌り込む係合凸部７７が設けられている。したがって、とびら部材６９は、係合凸部７７が係合凹部７５にスナップ的に嵌り込むように係合し、先端部が他方側の開口端部３９に分離可能に固定されるまで回転できるように構成されている（図７ｂ参照）。ここでも、Ｃ型弾性クリップ３５の開口部６１が簡単に開くのを効果的に防止できる。
【００２２】
杖本体３の上端部にはまた、ストラップ部材３３の下側に取っ手部材４１が取り付けられている。取っ手部材４１は、長細い皮革製の掴み部４３の長さ方向両端部に立ち上がり部４５を一体的に形成した取っ手本体４７と、それぞれの立ち上がり部４５に固定されたＣ型弾性クリップ３５と、を有していて、それぞれのＣ型弾性クリップ３５を杖本体３に嵌め付けることにより、杖本体３に取り外し可能に設けられている。そして、図８に示すように、例えば着席時に、ハンドル部５よりも下側の取っ手部材４１の掴み部４３を握って杖１を支持すれば、腕の位置が高くなりすぎないようにできる。
【００２３】
杖本体３には、長さ方向（高さ方向）に間隔を有して複数（ここでは２つ）の保持部材４９が取り付けられている。それぞれの保持部材４９は、Ｃ型弾性クリップ３５に連結用紐５１を接続し、この連結用紐５１の先端部にハサミ５３の一方側の操作部５５を接続した構成を有し、それぞれのハサミ５３の一対の操作部５５を間隔が狭まるように操作すると、一対のハサミ部５７が開き、操作部５５への操作力を解除すると、ハサミ部５７がバネ（図示せず）の弾性力又は付勢力により閉じるといったものである。そして、図９に示すように、ハサミ部５７で衣服等を挟み付けることにより、杖１から手を離しても杖１が倒れないようにしておくことができる。なお、複数の保持部材４９を用いることにより、杖１をより安定して衣服等に取り付けておくことができるようになる。
【産業上の利用可能性】
【００２４】
本発明の杖は例えば高齢者用の使い勝手の良いものとして利用することができる。
【符号の説明】
【００２５】
１                      杖
５                      ハンドル部  
９                      ハンドル本体
１１                      接続部
１３                      ハンドルカバー
１５                      カバー本体
１７                      固定片
【図１】
2013126507.tif 000003
【図２】
2013126507.tif 000004
【図３】
2013126507.tif 000005
【図４】
2013126507.tif 000006
【図５】
2013126507.tif 000007
【図６】
2013126507.tif 000008
【図７】
2013126507.tif 000009
【図８】
2013126507.tif 000010
【図９】
2013126507.tif 000011
【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
棒状の杖本体と、この杖本体の上端に設けられたハンドル部と、を具備し、前記ハンドル部は、前記杖本体との接続部と、この接続部に設けられたハンドル本体とを備えてＴ字状に形成されている杖であって、
前記ハンドル部に巻き付けられたカバーを有し、このカバ−は、前記ハンドル本体に巻かれたカバー本体と、このカバー本体の長さ方向一端部の幅方向両側から延びる一対の固定片と、を備え、
前記一対の固定片は、前記ハンドル部の前記接続部を挟んで位置し、前記ハンドル本体の上面部まで延びて前記カバー本体の表面の長さ方向他端側に重なり、このカバー本体と面状ファスナを介して分離可能に接続され、
前記杖本体には、連結紐状体の先端にハサミが接続された保持部材が上下に間隔を有して複数取り付けられ、前記保持部材はそれぞれ、前記連結紐状体の基端部に、ゴム製又はプラスチック製のＣ型弾性クリップを有し、このＣ型弾性クリップを前記杖本体に嵌め付けることにより取り外し可能に取り付けられていて、
前記Ｃ型弾性クリップは、一方の開口端部に回転可能に一体的に接続されたとびら部材を備え、このとびら部材は先端部に鉤部を有し、前記とびら部材を、前記Ｃ型弾性クリップの開口部を閉じるように回転させ、前記鉤部を他方の開口端部にスナップ係合させることができるように構成されている、ことを特徴とする杖。
【請求項２】
前記ハンドル部の前記接続部又は前記杖本体の上端部にはストラップ部材が取り付けられていて、前記ストラップ部材は、ストラップの基端部に、ゴム製又はプラスチック製のＣ型弾性クリップを有し、このＣ型弾性クリップを前記ハンドル部の前記接続部又は前記杖本体の上端部に嵌め付けることにより取り外し可能に取り付けられている、ことを特徴とする請求項１記載の杖。
【請求項３】
前記杖本体には取っ手が取り付けられていて、この取っ手は、取っ手本体の長さ方向両端部にそれぞれ、ゴム製又はプラスチック製のＣ型弾性クリップを有し、このＣ型弾性クリップを前記杖本体に嵌め付けることにより取り外し可能に取り付けられている、ことを特徴とする請求項１又は２記載の杖。